(57)【要約】【課題】健康状態を改善することができる健康器具を堤供する。【解決手段】健康器具１０は、電源部１１と、この電源部１１の正極に対して電気的に接続され、頭部に巻くように環状に形成された正極端子部１２と、電源部１１の負極に対して電気的に接続され、頭部以外の体の一部に接触させる負極端子部１３とを備えている。電源部１１は、例えば、電池よりなる電源１１Ａを有し、正極端子部１２と負極端子部１３との間に、１．５Ｖ以上１０Ｖ以下の電圧を印加するように構成されることが好ましい。【選択図】図１
0003203867.tif 000002
【実用新案登録請求の範囲】
【請求項１】
電源部と、
この電源部の正極に対して電気的に接続され、頭部に巻くように環状に形成された正極端子部と、
前記電源部の負極に対して電気的に接続され、頭部以外の体の一部に接触させる負極端子部と
を備えたことを特徴とする健康器具。
【請求項２】
前記正極端子部と前記負極端子部との間には、１．５Ｖ以上１０Ｖ以下の電圧が印加されることを特徴とする請求項１記載の健康器具。
【請求項３】
前記正極端子部は、直径が１ｍｍ以上４．５ｍｍ以下の導電性線部材により構成されたことを特徴とする請求項１又は請求項２記載の健康器具。
【考案の詳細な説明】
【技術分野】
【０００１】
本考案は、電気刺激を利用した健康器具に関する。
【背景技術】
【０００２】
パーキンソン症候群は、原因不明の神経変性疾患であり、臨床的には振戦、筋固縮、動作緩慢、姿勢反射障害、歩行障害などの症状を呈する疾患群を含んでいる。このうち、パーキンソン病は、薬物療法や定位脳手術（深部脳刺激療法）が治療法として存在するが、病状の進行とともに、運動症状に対する効果は減退し、日常生活動作も徐々に制限されていく。また、進行性核上性麻痺、大脳皮質基底核変性症ならびに多系統委縮症などのパーキンソン症候群は、現時点では、有効な治療法が全くなく、症状の進行とともに体動が困難となり、発症後の平均生存期間も５年ないし７年と報告されている。そこで、パーキンソン症候群の症状を改善することができる方法の開発が望まれていた。
【先行技術文献】
【特許文献】
【０００３】
【特許文献１】特開２０１２−１２５４６５号公報
【考案の概要】
【考案が解決しようとする課題】
【０００４】
本考案は、このような問題に基づきなされたものであり、体の状態を改善することができる健康器具を堤供することにある。
【０００５】
なお、特許文献１には、１対の電極からなる第１電極対と別の１対の電極からなる第２電極対とから構成される4電極からなる電気刺激装を脊髄硬膜外腔に留置して、脊髄に電気的刺激を付与することにより、パーキンソン症候群などの神経変性疾患に伴う運動症状を改善することが記載されている。しかし、本願考案と特許文献１とでは、具体的な構成が全く異なっている。
【課題を解決するための手段】
【０００６】
本考案の健康器具は、電源部と、この電源部の正極に対して電気的に接続され、頭部に巻くように環状に形成された正極端子部と、電源部の負極に対して電気的に接続され、頭部以外の体の一部に接触させる負極端子部とを備えたものである。
【考案の効果】
【０００７】
本考案によれば、頭部と体の他の部分との間に微弱電流を流すことにより、健康状態を改善することができる。
【図面の簡単な説明】
【０００８】
【図１】本考案の一実施の形態に係る健康器具の構成を表す図である。
【図２】図１に示した健康器具を体に装着した状態を表す図である。
【考案を実施するための形態】
【０００９】
以下、本考案の実施の形態について、詳細に説明する。
【００１０】
図１は、本考案の一実施の形態に係る健康器具１０の構成を表すものである。図２は、図１に示した健康器具１０を体に装着した状態を表す図である。この健康器具１０は、電源部１１と、この電源部１１の正極に対して電気的に接続され、頭部に巻くように環状に形成された正極端子部１２と、電源部１１の負極に対して電気的に接続され、頭部以外の体の一部に接触させる負極端子部１３とを備えている。
【００１１】
電源部１１は、例えば、電池よりなる電源１１Ａと、通電状態を制御する制御部１１Ｂとを有している。電源１１Ａは、正極端子部１２と負極端子部１３との間に、１．５Ｖ以上１０Ｖ以下の電圧を印加するように構成されることが好ましく、３Ｖ以上６Ｖ以下の電圧を印加するように構成されていればより好ましい。電源は、例えば、電池を必要に応じて直列又は並列に接続することにより構成される。電池は、どのようなものでもよく、筒形や角形の乾電池、又は、ボタン形電池が好ましく挙げられる。
【００１２】
制御部１１Ｂは、例えば、通電のＯＮ・ＯＦＦを行う制御スイッチと、タイマーと、通電状態を表示する表示部とを有していることが好ましい。タイマーは、例えば、所定の時間を経過すると通電がＯＦＦになるように、又は、通電がＯＮの状態とＯＦＦの状態とを交互に繰り返し、ＯＮ及びＯＦＦの継続時間、並びに、ＯＮとＯＦＦの繰り返し回数を設定できるように構成されていることが好ましい。
【００１３】
表示部は、光により表示することが好ましく、例えば、１又は複数のＬＥＤランプなどのランプにより構成することが好ましい。具体的には、例えば、色の異なる複数のランプを設け、設定した通電時間に応じて、設定時間に対応する色のランプが通電開始と共に発光し、設定時間経過後に消灯するように構成することが好ましい。例えば、通電時間を５分としたときは赤色、１０分としたときは黄色、１５分としたときは青色のランプが通電時に発光するように構成することが好ましい。また、例えば、色の異なる複数のランプを設け、通電時に発光するようにし、時間の経過に応じて、発光しているランプが順番に消灯するように、又は、発光するランプが順番に変化するように構成してもよい。
【００１４】
正極端子部１２は、例えば、配線１４により電源部１１と接続されている。正極端子部１２は、例えば、導電性線材により構成されることが好ましく、導電性線材の太さの直径は１ｍｍ以上４．５ｍｍ以下の範囲内であることが好ましく、２ｍｍ以上３．５ｍｍ以下の範囲内であればより好ましい。太さが細すぎると十分な強度を得ることができず、太さが太すぎると柔軟性が低下し、頭に装着した時の付け心地が悪くなってしまうからである。
【００１５】
正極端子部１２の大きさは、頭部の周囲の大きさに合わせて形成されることが好ましい。正極端子部１２の周方向に沿った長さは変更可能とされていてもよく、例えば、正極端子部１２は、一部が離間したり連結したりできるように構成されてもよく、また、伸縮性を有する材料により構成されてもよい。正極端子部１２の周方向に沿った長さは、例えば、５０ｃｍ以上６３ｃｍ以下の範囲内とすることが好ましい。
【００１６】
負極端子部１３は、例えば、配線１５により電源部１１と接続されている。負極端子部１３は、例えば、導電性材料により構成されており、手で持つように板状部材により構成されていてもよく、腕等に巻くように帯状部材あるいは線状部材により構成されていてもよい。また、負極端子部１３又は配線１５には、例えば、通電のＯＮ・ＯＦＦを行う手元スイッチを設けるようにしてもよい。
【００１７】
この健康器具１０は、例えば、次のようにして用いることができる。まず、例えば、正極端子部１２を頭部の周りに装着する。その際、正極端子部１２がこめかみ又はその周辺に当接するようにすることが好ましい。次いで、例えば、負極端子部１３を手で持つか又は腕等に巻く。続いて、電源部１１のスイッチをＯＮにし、正極端子部１２と負極端子部１３との間に電圧を印加し、微弱電流を流す。電圧は、所定の時間の間連続して印加してもよく、また、所定の時間においてＯＮとＯＦＦを交互に繰り返し、間欠的に印加してもよい。
【００１８】
これにより、電気刺激が与えられ、健康状態が改善される。なお、この健康器具１０は、例えば、パーキンソン症候群の症状を改善するのに役立つが、健常者が使用しても、肩こりや胃のむかつき等の症状を改善するのに役立てることができる。また、老眼の改善、頭髪の発毛及び育毛、白髪の改善にも役立てることができる。
【００１９】
このように、本実施の形態によれば、頭部と体の他の部分との間に微弱電流を流すことにより、健康状態を改善することができる。
【実施例】
【００２０】
（実施例１）
パーキンソン病の患者１３名に上記実施の形態にて説明した健康器具１０を使用してもらい、使用前と使用後の体の状態を聞いた。健康器具１０は、正極端子部１２をこめかみに当接するように頭部に装着してもらい、負極端子部１３を手に持って、１日に２回、１５分間にわたり電圧を印加してもらった。印加した電圧は、３Ｖ、４．５Ｖ、又は、６Ｖとした。このような電気刺激を数日間行ってもらった。その結果を表１に示す。
【００２１】
【表１】
0003203867.tif 000003
【００２２】
表１に示したように、全ての患者において、体が楽になり健康状態の改善が見られた。すなわち、健康状態の改善効果があることが分かった。
【００２３】
（実施例２）
数人の健常者に上記実施の形態にて説明した健康器具１０を使用してもらい、使用後の体の状態を聞いた。健康器具１０は、正極端子部１２をこめかみに当接するように頭部に装着してもらい、負極端子部１３を手に持って、２０分間にわたり４．５Ｖの電圧を印加してもらった。その結果、肩こりが楽になった、及び、胃のむかつきが楽になったという感想が得られた。すなわち、健常者が使用しても、健康状態を改善することができることが分かった。
【００２４】
（実施例３）
頭髪が薄い人及び頭髪が白髪の人に上記実施の形態にて説明した健康器具１０を使用してもらい、使用後の状態を調べた。健康器具１０は、正極端子部１２をこめかみに当接するように頭部に装着してもらい、負極端子部１３を手に持って、１回２０分程度、１日に数回、１．５Ｖ〜９Ｖの電圧を印加してもらった。その結果、使用を開始して２カ月程度経過した時点で、頭頂部から側頭にかけて頭髪の２／３程度が薄くなっていた人が、頭全体について１ｃｍ〜２ｃｍの発毛及び育毛が見られた。また、白髪が生えていた人は、白髪が減り、黒髪が生えてきているのが見られた。すなわち、薄毛及び白髪を改善することができることが分かった。
【００２５】
（実施例４）
老眼の人に実施例３と同様にして上記実施の形態にて説明した健康器具１０を使用してもらい、使用後の状態を調べた。その結果、老眼が改善され、見えるようになったという感想が得られた。すなわち、老眼を改善することができることが分かった。
【００２６】
以上、実施の形態および実施例を挙げて本考案を説明したが、本考案は上記実施の形態および実施例に限定されるものではなく、種々変形可能である。例えば、上記実施の形態では、各構成要素について具体的に説明したが、全ての構成要素を含んでいなくてもよく、また、他の構成要素を含んでいてもよい。
【産業上の利用可能性】
【００２７】
健康状態の改善に用いることができる。
【符号の説明】
【００２８】
１０…健康器具、１１…電源部、１１Ａ…電源、１１Ｂ…制御部、１２…正極端子部、１３…負極端子部、１４，１５…配線
【図１】
0003203867.tif 000004
【図２】
0003203867.tif 000005